(57)【要約】【課題】少なくとも一対の電極タップを具備する二次電池、及び前記二次電池の充電及び放電のうち少なくともいずれか一つを制御する回路を構成する少なくとも一つの素子が実装された回路基板及び前記回路基板を支持する絶縁板を含むバッテリーパックを提供する。【解決手段】少なくとも一対の電極タップを具備する二次電池１５０と、二次電池１５０の充電及び放電のうち少なくともいずれか一つを制御するように構成された回路を具備する回路基板２００と、回路基板２００を支持する絶縁板２４０と、を含む。【選択図】図１
2016171063.tif 000002
【特許請求の範囲】
【請求項１】
少なくとも一対の電極タップを具備する二次電池と、
前記二次電池の充電及び放電のうち少なくともいずれか一つを制御するように構成された回路を具備する回路基板と、
前記回路基板を支持する絶縁板と、を含み、
前記回路基板は、
互いに反対側に位置した第１端部及び第２端部を含む折り曲げ部と、
前記折り曲げ部の前記第１端部及び第２端部からそれぞれ延びて、互いに離隔され、少なくとも一部が重畳される第１部及び第２部を含み、
前記折り曲げ部は、前記第１部及び第２部のうち少なくともいずれか一つに対して折り曲げられ、
前記第１部は、前記少なくとも一対の電極タップが固定されるように構成されたタップ固定面を含み、
前記第２部は、回路が固定されるように構成された回路固定面を含み、
前記タップ固定面は、前記第２部に向かい、
前記絶縁板は、
前記電極タップ固定面と前記第２部との間に配置されて、前記少なくとも一対の電極タップに密着されることを特徴とするバッテリーパック。
【請求項２】
前記絶縁板は、前記回路基板よりも硬いことを特徴とする請求項１に記載のバッテリーパック。
【請求項３】
前記回路基板は、軟性回路基板であることを特徴とする請求項１に記載のバッテリーパック。
【請求項４】
前記素子固定面は、前記回路基板の外側に向かうように配置されることを特徴とする請求項１に記載のバッテリーパック。
【請求項５】
前記タップ固定面に具備されて前記電極タップがそれぞれ連結される連結端子をさらに含むことを特徴とする請求項１に記載のバッテリーパック。
【請求項６】
前記電極タップは、
前記第１部に沿って延び、前記タップ固定面の反対面から二次電池の外側に向けて延びる途中で前記電極タップ固定面から前記二次電池に向けて延びることを特徴とする請求項１に記載のバッテリーパック。
【請求項７】
前記折り曲げ部は、
前記二次電池に向けてふくらんでいるように曲がっていることを特徴とする請求項１に記載のバッテリーパック。
【請求項８】
前記絶縁板は、
前記第２部に固定され、前記素子固定面の反対面に固定されることを特徴とする請求項１に記載のバッテリーパック。
【請求項９】
前記絶縁板の面積は、
前記回路固定面において前記回路が占める領域の面積と実質的に同一またはさらに大きく、前記回路固定面の面積よりも小さいかまたは実質的に同一であることを特徴とする請求項１に記載のバッテリーパック。
【請求項１０】
前記絶縁板の面積は、
互いに離隔された電極タップが占める面積と実質的に同一またはさらに大きく、前記タップ固定面の面積よりも小さいかまたは同一であることを特徴とする請求項１に記載のバッテリーパック。
【請求項１１】
前記二次電池は、
前記電極タップが外側へ延びるテラス部を含み、
前記回路基板は、
前記テラス部に安着されるが、前記第１部が前記テラス部に面するように安着されることを特徴とする請求項１に記載のバッテリーパック。
【請求項１２】
前記絶縁板と前記一対の電極タップとの間に配置されて前記電極タップに付着された第１絶縁テープをさらに含むことを特徴とする請求項１に記載のバッテリーパック。
【請求項１３】
前記第２部は、
外部装置と電気的に連結されるように構成された少なくとも一本の電線と連結される少なくとも一つの電線連結端子を含むことを特徴とする請求項１に記載のバッテリーパック。
【請求項１４】
前記絶縁板は、
前記二次電池の厚さ方向へ前記回路と重畳されることを特徴とする請求項１に記載のバッテリーパック。
【請求項１５】
前記第２部の前記回路固定面、前記タップ固定面の反対面及び前記折り曲げ部を覆う第２絶縁テープをさらに含むことを特徴とする請求項１に記載のバッテリーパック。
【請求項１６】
少なくとも一の電極タップを具備する二次電池と、
前記二次電池の充電及び放電動作のうち少なくともいずれか一つを制御するように構成された少なくとも一つの回路を具備する回路基板と、
前記回路基板を支持する絶縁部材と、を含み、
前記回路基板は、
互いに反対側に位置した複数の端部を具備する中間部と、
互いに反対側に位置した第１端部及び第２端部をそれぞれ具備する上部及び下部を含み、
前記上部及び前記下部は、
前記中間部の複数の端部を介して互いに連結され、連結された部分を除いた前記上部及び下部の残りの部分が互いに離隔され、
前記上部と前記下部及び前記中間部は、
前記絶縁部材の少なくとも三面を覆い、
前記上部及び前記下部は、
前記二次電池の厚さ方向へ少なくとも部分的に互いに重畳され、
前記回路は、
前記回路基板の前記上部に位置し、
前記上部は、
前記電極タップが固定されるように構成され、
前記下部は、
前記回路が固定されるように構成されることを特徴とする請求項１に記載のバッテリーパック。
【請求項１７】
前記絶縁部材と前記回路基板の前記上部との間に介在される少なくとも一つのタップ連結端子をさらに含むことを特徴とする請求項１６に記載のバッテリーパック。
【請求項１８】
前記下部は、外部装置と電気的に連結されるように構成された少なくとも一本の電線と連結される少なくとも一つの電線連結端子を含むことを特徴とする請求項１６に記載のバッテリーパック。
【請求項１９】
前記絶縁部材と前記電極タップとの間に位置する第１絶縁テープをさらに含むことを特徴とする請求項１６に記載のバッテリーパック。
【請求項２０】
前記上部と前記下部及び前記中間部それぞれを少なくとも部分的に覆う第２絶縁テープをさらに含むことを特徴とする請求項１６に記載のバッテリーパック。
【発明の詳細な説明】
【技術分野】
【０００１】
本発明は、バッテリーパックに関する。
【背景技術】
【０００２】
一般に、二次電池（または再充電の可能な電池）は、何回も充電及び放電が可能であり、反復的に使用できるような電池である。充電源（Ｃｈａｒｇｉｎｇ  Ｓｏｕｒｃｅ）は、発電所のような既存の電力系統はもちろん、太陽エネルギー、及びその他の新再生エネルギー源によるものでありうる。
【先行技術文献】
【特許文献】
【０００３】
【特許文献１】特開２００４−３２７０９８号公報
【特許文献２】特開２００３−２４９２０４号公報  このような二次電池は、携帯電話やラップトップ及びタブレットコンピューター及びキャムコーダのような電子機器はもちろん、自動車及び電力貯蔵用大型装置に使用されている。
【０００４】
商業的適用に応じて高出力または高容量の二次電池を具現するために複数の単位電池を直列及び/または並列連結したりすることもできる。また、必要に応じて二次電池の充電及び/または放電を制御し、過充電及び/または過放電を防止するコントローラーをさらに含むこともできる。
【発明の概要】
【発明が解決しようとする課題】
【０００５】
上記のように、本発明は、二次電池を含むバッテリーパックに関し、その目的は、少なくとも一対の電極タップを具備する二次電池、及び前記二次電池の充電及び放電のうち少なくともいずれか一つを制御する回路を構成する少なくとも一つの素子が実装された回路基板及び前記回路基板を支持する絶縁板を含むバッテリーパックを提供することである。
【課題を解決するための手段】
【０００６】
上記目的を達成するために本発明の実施例によれば、少なくとも一対の電極タップを具備する二次電池と、前記二次電池の充電及び放電のうち少なくともいずれか一つを制御する回路を構成する少なくとも一つの素子が実装された回路基板と、前記回路基板を支持する絶縁板と、を含むことができる。
【０００７】
また、前記回路基板は、折り曲げ部及び前記折り曲げ部の両端からそれぞれ延びて、互いに離隔・重畳される第１部及び第２部を含み、前記絶縁板は、前記第１部及び前記第２部との間に具備されてその間を絶縁することができる。
【０００８】
また、前記第１部は、前記少なくとも一対の電極タップが固定されるタップ固定面を含み、前記第２部は、少なくとも一つの素子が実装された素子固定面を含み、前記電極タップ固定面は、前記第２部に向かうように配置することができる。
【０００９】
また、前記絶縁板は前記電極タップ固定面と前記第２部との間に配置され、前記少なくとも一対の電極タップを前記第１部に密着させることができる。
【００１０】
また、前記絶縁板は、前記回路基板よりも硬いことがありうる。
【００１１】
また、前記回路基板は、軟性回路基板でありうる。
【００１２】
また、前記素子固定面は前記回路基板の外側に向かうように配置することができる。
【００１３】
さらに、本発明の他の実施例によれば、前記タップ固定面に具備されて前記少なくとも一対の電極タップがそれぞれ連結される一対のタップ連結端子をさらに含むこともできる。
【００１４】
また、前記少なくとも一対の電極タップは、前記第１部に沿って延びるが、前記タップ固定面の反対面から二次電池の外側に向けて延びる途中で前記電極タップ固定面から前記二次電池に向けて延びることができる。
【００１５】
また、前記折り曲げ部は、前記二次電池に向けてふくらんでいるように曲がっている形状で配置することができる。
【００１６】
また、前記絶縁板は、前記第２部に固定されるが、前記素子固定面の反対面に固定することができる。
【００１７】
また、前記絶縁板は、その面積が前記素子固定面に前記素子が設置された領域の面積と同一またはさらに大きく、前記素子固定面の面積よりも小さいかまたは同一でありうる。
【００１８】
また、前記絶縁板は、他の実施例としてその面積が互いに離隔された一対の電極タップが占める面積と同一またはさらに大きく、前記タップ固定面の面積よりも小さいかまたは同一の場合もありうる。
【００１９】
また、前記二次電池は、前記一対の電極タップが引き出されるテラス部を含み、前記回路基板は前記テラス部に安着され、前記第１部が前記テラス部に面するように安着させることができる。
【００２０】
さらに、本発明の他の実施例によれば、前記絶縁板と前記一対の電極タップとの間に配置されて前記一対の電極タップに付着された絶縁テープをさらに含むことができる。
【００２１】
さらに、本発明の他の実施例によるバッテリーパックは、少なくとも一対の電極タップを具備する二次電池と、前記二次電池の充電及び放電動作のうち少なくともいずれか一つを制御するように構成された少なくとも一つの回路を具備する回路基板と、を含み、前記回路基板は、互いに反対側に位置した第１端部及び第２端部を具備する折り曲げ部と、前記折り曲げ部の前記第１端部及び第２端部からそれぞれ延びて、少なくとも部分的に互いに重畳されて離隔される第１部及び第２部を含むことができる。
【００２２】
また、前記折り曲げ部は、前記第１部及び前記第２部のうち少なくともいずれか一つに対して折り曲げられて、前記第１部は、前記電極タップが固定されるように構成されるタップ固定面を含み、かつ前記第２部は、前記回路が固定されるように構成される回路固定面を含み、前記タップ固定面は、前記第２部に向けており、絶縁板は前記回路基板を支持し、前記絶縁板は前記タップ固定面と前記第２部との間に位置して前記電極タップに密着させることができる。
【００２３】
また、前記バッテリーパックにおける前記絶縁板は、前記回路基板よりも硬い場合がありうる。
【００２４】
また、前記バッテリーパックにおける前記回路基板は軟性でありうる。
【００２５】
また、前記バッテリーパックにおける前記回路固定面は、前記回路基板の外側に向かうことができる。
【００２６】
また、前記バッテリーパックは、前記タップ固定面に位置する一対のタップ連結端子をさらに含み、前記電極タップは前記タップ連結端子にそれぞれ連結させることができる。
【００２７】
また、前記バッテリーパックにおける前記電極タップは、前記第１部に沿って前記タップ固定面の反対面から前記二次電池の外側に向けて延びて、前記タップ固定面で前記二次電池に向けて延びることができる。
【００２８】
また、前記バッテリーパックにおける前記折り曲げ部は、前記二次電池に向けてふくらんでいるように折り曲げることができる。
【００２９】
また、前記バッテリーパックにおける前記絶縁板は、前記第２部の回路固定面の反対面上に固定することができる。
【００３０】
前記バッテリーパックにおける絶縁板の面積は、前記回路固定面において前記回路が占める面積と実質的に同一またはさらに大きく、前記回路固定面の面積よりっも小さいかまたは実質的に同一でありうる。
【００３１】
また、前記バッテリーパックにおける絶縁板の面積は、互いに離隔された電極タップが占める面積と実質的に同一またはもっと大きくて、前記タップ固定面の面積よりも小さいかまたは実質的に同一でありうる。
【００３２】
また、前記バッテリーパックにおける前記二次電池は、前記電極タップが外側へ延びるテラス部を含み、前記回路基板は、前記テラス部に安着されて、前記第１部は、前記テラス部に向かうことができる。
【００３３】
また、前記バッテリーパックにおける前記絶縁板と前記電極タップとの間に位置して、前記電極タップに付着させる第１絶縁テープをさらに含むことができる。
【００３４】
前記バッテリーパックにおける前記第２部は、外部装置と電気的に連結されるように構成された少なくとも一本の電線と連結される少なくとも一つの電線連結端子を含むことができる。
【００３５】
また、前記バッテリーパックにおける前記絶縁板は、二次電池の厚さ方向へ前記回路と重畳させることができる。
【００３６】
また、前記バッテリーパックは、前記第２部の前記回路固定面及び前記タップ固定面の反対面及び前記折り曲げ部を覆う第２絶縁テープをさらに含むことができる。
【００３７】
さらに、本発明の他の実施例によるバッテリーパックは、少なくとも一つの電極タップを具備した二次電池と、前記二次電池の充電及び放電動作のうち少なくともいずれか一つを制御するように構成された少なくとも一つの回路を具備する回路基板と、前記回路基板を支持する絶縁部材と、を含み、前記回路基板は、互いに反対側に位置した端部を具備する中間部及び互いに反対側に位置した第１端部及び第２端部をそれぞれ具備する上部及び下部を含むことができる。
【００３８】
また、前記上部及び前記下部は、前記中間部の端部を介して互いに連結されて、連結された部分を除いた前記上部及び下部の残りの部分が互いに離隔させることができる。
【００３９】
また、前記上部と前記下部及び前記中間部は、前記絶縁部材の少なくとも三面を覆うことができる。
【００４０】
また、前記上部及び前記下部は、前記二次電池の厚さ方向へ少なくとも部分的に互いに重畳させることができる。
【００４１】
また、前記回路は前記回路基板の前記上部に位置することができる。
【００４２】
また、前記上部は前記電極タップが固定されるように構成され、前記下部は前記回路が固定されるように構成することができる。
【００４３】
また、前記バッテリーパックは、前記絶縁部材と前記回路基板の前記上部との間に介在される少なくとも一つのタップ連結端子をさらに含むことができる。
【００４４】
また、前記バッテリーパックにおける前記下部は、外部装置と電気的に連結されるように構成された少なくとも一本の電線と連結される少なくとも一つの電線連結端子を含むことができる。
【００４５】
また、前記バッテリーパックは、前記絶縁部材と前記電極タップとの間に位置する第１絶縁テープをさらに含むことができる。
【００４６】
また、前記バッテリーパックは、前記上部と前記下部及び前記中間部それぞれを少なくとも部分的に覆う第２絶縁テープをさらに含むことができる。
【発明の効果】
【００４７】
以上のように、本発明の一実施例によれば、回路基板が占める空間が小さいため、コンパクトバッテリーパックを具現することができるような効果を奏する。また、本発明の一実施例によれば、絶縁板によって回路基板が支持されて一対の電極タップが堅固に回路基板に固定されるため、耐久性が向上するような効果を奏する。
【図面の簡単な説明】
【００４８】
【図１】本発明の一実施例によるバッテリーパックの斜視図である。
【図２】図１におけるバッテリーパックの分解斜視図である。
【図３】図１のＩ-Ｉ方向から見たバッテリーパックの断面図である。
【図４】図１におけるバッテリーパックにおいて回路基板が折られる前の状態でタップ固定面が上に向かうように示した斜視図である。
【図５】図４における回路基板を素子固定面が上に向かうように示したバッテリーパックの斜視図である。
【図６】図１におけるバッテリーパックの二次電池の斜視図である。
【図７】図６における二次電池の分解斜視図である。
【図８】図４における回路基板に二次電池が固定された図１のバッテリーパックの斜視図である。
【図９】図８における二次電池に連結された回路基板が折られる図１のバッテリーパックの斜視図である。
【図１０】図９において２番矢印方向に一対の電極タップが折れた状態の図１におけるバッテリーパックの斜視図である。
【発明を実施するための形態】
【００４９】
本発明の利点及び特徴、そしてそれらを達成する方法は添付される図面と共に詳細に後述されている実施例等を参照すれば明確になるであろう。
【００５０】
しかし、本発明は、以下で開示する実施例等に限定されるものではなく、互いに異なる多様な形態で具現することができ、以下の説明においてある部分が他の部分と連結されているとした時、これは直接的に連結されている場合のみならず、その中間に他の素子を間に置いて電気的に連結されている場合をも含む。
【００５１】
また、図面において本発明と関係のない部分は本発明の説明を明確にさせるために略しており、明細書全体を通じて類似した部分に対しては同一の図面符号を付けた。
【００５２】
本明細書で、「実質的に」という用語は、完全に、ほとんど完全に、若しくは当業者によって、そして任意の応用例の下で任意の相当な程度への意味を含む。また、「上に形成された（ｆｏｒｍｅｄ  ｏｎ）」はまた「上部に形成された（ｆｏｒｍｅｄ  ｏｖｅｒ）」を意味する。そして「連結された」という用語は、電気的接続を含む。
【００５３】
以下では、添付された図面を参照して本発明の属する技術分野における通常の知識を有する者が本発明を容易に実施できるように実施例等を詳細に説明する。本発明において言及する二次電池は、何回も充電及び放電の可能ないかなる構成の電池でも良い。
【００５４】
図１及び図２を参照すれば、本発明の一実施例によるバッテリーパック１００は、ｉ）一対の電極タップを具備した二次電池１５０、ｉｉ）前記二次電池１５０と電気的に連結され、素子などが実装された回路基板２００、ｉｉｉ）絶縁板（または絶縁部材２４０）、及び、ｉｖ）複数の絶縁テープ３６０、３７０を含む。
【００５５】
前記二次電池１５０は、一対の電極の間に分離板が介在された電極組立体が電解液とともに電池ケースに密封されたものである。
【００５６】
前記一対の電極は、互いに極性が異なっており、二つの中で一つが陽極で、他の一つは陰極である。
【００５７】
前記電極組立体は、前記陽極、前記分離板、及び前記陰極が積層されて形成（以下、積層型）されるか、または積層された後、巻取られて形成（以下、巻取型）することができる。
前記二次電池１５０の具体的な構成は、図６及び図７を参照して後述する。
【００５８】
前記二次電池１５０は、電池ケース１４０の外へ延びた一対の電極タップ１１１を具備する。
前記一対の電極タップは、それぞれ一対の電極に連結されたもので、陽極に連結された陽極タップ１１２と陰極とに連結された陰極タップ１１３を含む。
【００５９】
前記陽極タップ１１２及び陰極タップ１１３は、二次電池のテラス部１４７ａを介して外側へ延びる。前記テラス部１４７ａは、電池ケース１４０のわくに形成されたシーリング部１４７の一部で、前記回路基板２００が安着されることができる程度に相当広く形成されうるがこれに限定されるものではない。
【００６０】
以下では、前記電池ケース１４０のシーリング部１４７で前記一対の電極タップが引き出された部分をテラス部１４７ａと指称する。
【００６１】
前記陽極タップ１１２及び前記陰極タップ１１３は、前記テラス部１４７ａを介して前記二次電池１５０の外側へ延びている途中で約１８０°で折り曲げられて前記二次電池１５０の方へ延びる。前記陽極タップ１１２及び前記陰極タップ１１３と前記回路基板２００の具体的な連結関係は後述する。
【００６２】
前記回路基板２００は、前記二次電池１５０と電気的に連結されて、少なくとも一つの素子２５０が実装される。
【００６３】
図２ないし図３を参照すれば、前記回路基板２００は、一つの折り曲げ部（または中間部２２０）、及び第１部及び第２部または第１基板部及び第２基板部（または上部及び下部２１０、２３０）を含む。
【００６４】
前記第１部及び第２部（２１０、２３０）は、前記折り曲げ部２２０の両端からそれぞれ延びる。前記第１部及び第２部（２１０、２３０）は、互いに重畳された状態で離隔される。
【００６５】
説明の便宜のために前記二次電池１５０に連結される前の回路基板２００を図４及び図５に示した。図４は、前記回路基板２００が折り曲げられる前の状態であり、タップ固定面が上から見えるように示した斜視図で、図５は、図４の回路基板２００の素子固定面が上から見えるように示した斜視図である。
【００６６】
図１ないし図５を参照して前記回路基板２００及び前記回路基板２００に設けられる部品等を詳細に説明する。
【００６７】
前記回路基板２００は、前記テラス部１４７ａの幅方向（以下では図１のＩ-Ｉ線と実質的に垂直した方向を幅方向であると指称する）長さよりも小さい幅を持って長さ方向（以下では、図１のＩ-Ｉ線と実質的に並んでいるような方向を長さ方向と指称する）に延びるが、一度曲がって延びる基板である。
【００６８】
以下では、前記回路基板２００の曲がった部分を折り曲げ部２２０と指称する。
【００６９】
前記回路基板２００は、前記一対の電極タップ１１２、１１３が固定される第１部２１０と前記少なくとも一つの素子２５０が固定される第２部２３０を含み、前記第１部と前記第２部（２１０、２３０）は、前記折り曲げ部２２０によって連結される。
【００７０】
前記第１部２１０は、既に決定された厚さを持つ板状体である。前記第１部２１０は、前記一対の電極タップ１１２、１１３が固定される面であるタップ固定面２１５と、前記タップ固定面２１５の反対面２１７とを含む。
【００７１】
前記第１部の前記タップ固定面２１５には、一対のタップ連結端子２１１が具備される。前記一対のタップ連結端子２１１は、前記陽極タップ１１２が溶接される陽極タップ連結端子２１２と前記陰極タップ１１３とが溶接される陰極タップ連結端子２１３を含む。前記一対のタップ連結端子２１１は、導電性パッドである。
【００７２】
前記第２部２３０は、前記第１部と実質的に同一の厚さを持つ板状体で、前記少なくとも一つの素子２５０が固定される素子固定面（または回路固定面２３７）、及び前記素子固定面２３７の反対面２３５を含む。また、前記素子固定面２３７には、複数の電線連結端子２３１、２３２、２３３が具備される。前記電線連結端子２３１、２３２、２３３は、複数の導電性パッドである。
【００７３】
前記電線連結端子２３１、２３２、２３３は、前記素子固定面２３７に前記素子２５０が実装されて残りの領域に配置される。図面では、前記素子固定面２３７のわくに具備されているがこれに限定されるものではなく、前記素子２５０が複数の素子を含んで幅方向へ互いに離隔されて配置される場合、前記電線連結端子２３１、２３２、２３３は、前記素子間の空き空間に配置することもできる。
【００７４】
前記折り曲げ部２２０は、前記回路基板２００が約１８０°で折り曲げられながら形成された部分で、前記第１部２１０と前記第２部２３０とを区分する境界である。
【００７５】
図３を参照すれば、前記折り曲げ部２２０は、長さ方向の断面が前記二次電池１５０に向けてふくらんでいるように配置された実質的にＵ字形状の曲面である。ただし、前記折り曲げ部２２０の形状は曲面に限定されず、約１８０°で折り曲げられるが、一つまたは二つの角をなした角を形成することもできる。
【００７６】
前記回路基板２００は、両面に部品を実装することができるように導電性配線が形成された軟性絶縁基板である。このような回路基板２００は、公知のフレキシブル印刷回路基板でありうる。
【００７７】
上述した構成の側面は、素子などが実装される回路基板２００が折り曲げられることで、より狭い空間にコンパクトに素子を配置させることができるので、バッテリーパックの小型化及びコンパクト化が可能である。
【００７８】
絶縁板２４０は、前記第１部２１０と前記第２部２３０との間に配置されて、前記第１部と前記第２部とを互いに絶縁することができる。
【００７９】
前記絶縁板２４０は、前記回路基板２００を全体的に支持することができる。また、前記絶縁板２４０は、前記第１部のタップ固定面２１５と前記第２部２３０との間に配置されて、前記一対の電極タップ１１１がそれぞれ前記一対のタップ連結端子２１１に密着されるように加圧することができる。
【００８０】
前記絶縁板２４０は、前記回路基板２００より硬い材質の板状体であり、曲がらない程度の厚さで形成される。
【００８１】
前記絶縁板２４０は、図示したように大略的な直四角形形状の板であるが、形状はこれに限定されるものではなく、前記回路基板を支持して前記一対の電極タップを前記一対の連結端子に密着させることができるどんな形状でも良い。
【００８２】
前記絶縁板２４０は、幅方向の長さが前記回路基板２００の幅方向長さと実質的に同一である。しかし、これに限定されるものではなく、前記絶縁板２４０は、幅方向の長さが前記素子固定面２３７で前記少なくとも一つの素子２５０が実装された領域の幅方向の長さと実質的に同一または大きく、前記回路基板２００の幅方向の長さよりも小さい場合もありうる。または、前記絶縁板２４０は、幅方向の長さが前記陽極タップ１１２と前記陰極タップ１１３との間の距離より大きく、前記回路基板２００の幅方向の長さより小さい場合がありうる。
【００８３】
前記絶縁板２４０は、長さ方向に前記第２部２３０の長さと実質的に同じく延びる。ただし、これに限定されるものではなく、前記絶縁板２４０は、長さ方向に前記少なくとも一つの素子２５０が実装された領域の長さと実質的に同一または大きく、前記第２部２３０の長さよりは小さく延びることもできる。
【００８４】
すなわち、前記絶縁板２４０は、前記少なくとも一つの素子２５０を支持することができる程度の大きさで形成され、前記一対の電極タップ１１１を前記一対のタップ連結端子２１１に密着させることができる程度の大きさで形成される。
【００８５】
前記絶縁板２４０は、前記素子固定面２３７の反対面２３５に固定され、前記回路基板２００を支持して前記一対の電極タップ１１１を前記一対のタップ連結端子２１１の方へ加圧する。前記絶縁板２４０は、接着剤により前記素子固定面２３７の反対面２３５に固定されることができる。
【００８６】
上述した側面によれば、前記絶縁板２４０によって前記素子固定面２３７が堅く支持されるような效果がある。また、上述した側面によれば、前記絶縁板２４０が重畳された前記第１部２１０と前記第２部２３０との間に具備されるので、折り曲げられた回路基板２００が堅く支持されて前記一対の電極タップ１１１が前記回路基板に堅固に固定されるような效果がある。
【００８７】
複数の電線３２１、３２２、３２３は、それぞれ前記電線連結端子２３１、２３２、２３３に溶接され、前記電線３２０を介して外部装置からバッテリーパックへ電力を供給するか、またはバッテリーパックから外部装置へ電力を供給するために、バッテリーパックを外部装置（図示せず）と電気的に連結する。
【００８８】
結果的に、前記素子２５０が作動するか、前記二次電池１５０を充電することができる。ただし、前記素子２５０は、前記二次電池１５０から電力の供給を受けて作動することもできることは勿論である。前記電線３２０は、図示されたところと異なり、ハネスタイプでありうる。
【００８９】
前記少なくとも一つの素子２５０は、前記回路基板２００を介して前記二次電池１５０と電気的に連結されて、既に決定された少なくとも一つの制御機能を遂行する回路を具現する。
【００９０】
前記制御機能としては、前記二次電池の充電制御、放電制御、過充電防止制御、過放電防止制御、その他の安全関連制御、センサー制御、外部との通信制御など、電池の管理に係わる制御を含む。
【００９１】
前記センサーとしては、温度センサー、電圧センサー、電流センサーなどを例としてあげることができ、前記温度センサーは電池の温度を測定するなど、前記センサーによって安全制御のためのデータを収集することができる。
【００９２】
制御機能を遂行する回路の一実施例として前記少なくとも一つの素子２５０は、前記二次電池１５０の保護回路を構成することができる。保護回路とは、前記二次電池１５０の電圧または電流を制御することで、充電及び放電の制御はもちろん過充電、過放電、短絡、逆電圧などを遮断して電池を保護することができる回路である。
【００９３】
例えば、前記保護回路を構成するために、前記少なくとも一つの素子２５０は、電界效果能動素子（ＦＥＴ：Ｆｉｅｌｄ  Ｅｆｆｅｃｔ  Ｔｒａｎｓｉｓｔｏｒ）、集積回路（Ｉｎｔｅｇｒａｔｅｄ  Ｃｉｒｃｕｉｔ）、陽性温度素子（ＰＣＴ：Ｐｏｓｉｔｉｖｅ  Ｔｅｍｐｅｒａｔｕｒｅ  Ｃｏｅｆｆｉｃｉｅｎｔ）、スイッチング素子などを含んで充電及び放電を制御して回路を遮断することができる。
【００９４】
前記回路基板２００に上述したように、前記少なくとも一つの素子２５０、前記電線３２０、前記一対のタップ連結端子２１１がそれぞれ実装されて制御モジュールを具現することができる。
【００９５】
前記制御モジュールは、前記二次電池１５０と電気的に連結されて前記二次電池１５０の管理に係わる制御を遂行するモジュールである。
【００９６】
以下では、前記回路基板２００に前記少なくとも一つの素子（または少なくとも一つの回路２５０）、前記電線３２０及び絶縁板２４０、前記一対のタップ連結端子２１１が連結されたものを制御モジュールと指称する。
【００９７】
図２及び図３を参照すれば、前記第１部２１０と前記第２部２３０とは、互いに離隔された状態で重畳される。この際、前記第１部２１０は、前記タップ固定面２１５が前記第２部２３０に向かうように配置される。
【００９８】
前記第２部２３０は、前記素子固定面の反対面２３５が前記タップ固定面２１５に向かうように配置される。前記素子固定面の反対面２３５には、前記絶縁板２４０が固定されているため、前記第１部のタップ固定面２１５は、前記絶縁板２４０と向い合うようになる。
【００９９】
前記一対の電極タップ１１１は、前記テラス部１４７ａから外側へ延びる。前記一対の電極タップ１１１は、前記第１部２１０に沿って延びるが、前記タップ固定面の反対面２１７上で前記二次電池１５０の外側へ延びる途中で反対方向へ曲がり、前記タップ固定面２１５上で前記二次電池１５０の方へ延びる。
【０１００】
前記一対の電極タップ１１１は、前記タップ固定面２１５で前記一対のタップ連結端子２１１それぞれに固定される。この際、前記電極タップ１１２、１１３は、レーザー溶接などによって溶接部が形成されてそれぞれ前記タップ連結端子２１１に固定することができる。
【０１０１】
前記一対の電極タップ１１１には、第１絶縁テープ３７０が付着されて前記電極タップ１１１をその周辺部から絶縁する。
【０１０２】
前記第１絶縁テープ３７０は、前記絶縁板２４０と前記一対の電極タップ１１１との間で前記一対の電極タップ１１１をすべて覆うように付着されて、前記一対の電極タップ１１１が折り曲げられた部分を通って前記テラス部１４７ａまで延びる。
【０１０３】
また、前記回路基板２００には、第２絶縁テープ３６０がさらに付着されて、前記回路基板２００及び基板に実装された部品等を周辺部から絶縁することができる。
【０１０４】
前記第２絶縁テープ３６０は、第２部の素子固定面２３７及び前記タップ固定面の反対面２１７とその間の折り曲げ部２２０を実質的にすべて覆うように付着させる。
【０１０５】
図６及び図７は、本発明の一実施例によるパウチ型ケースに密封された電極組立体を含む二次電池を概略的に示したものである。前記二次電池１５０は、電池ケース１４０及び前記電池ケース１４０に電解液とともに密封される電極組立体１１０を含む。
【０１０６】
図７を参照すれば、前記電極組立体１１０は、陽極板、分離板及び陰極板が順に積層された後巻取られて形成される。前記陽極板は陽極として機能し、前記陰極板は陰極として機能する。
【０１０７】
また、前記電極組立体１１０は、前記電池ケースの外部へ延びる一対の電極タップ１１１を含み、前記一対の電極タップ１１１は、前記陽極と電気的に連結される陽極タップ１１２、前記陰極板と電気的に連結される陰極タップ１１３を含む。ただし、前記陽極タップ１１２と前記陰極タップ１１３との位置は、互いに変わることができる。前記一対の電極タップ１１１によって前記二次電池から発生した電気化学的エネルギーが外部へ伝達することができる。
【０１０８】
前記電池ケース１４０は、前記電極組立体１１０を覆う部材であり、第１サブケース１４１及び第２サブケース１４２を含む。この際、第１サブケース１４１には、前記電極組立体１１０の収納空間が形成されて第２サブケース１４２は第１サブケース１４１を覆うように具現することができる。
【０１０９】
前記電極組立体１１０の収納空間は、電極組立体１１０の形態及び大きさに対応するように具備されることができるが、例えば、平板で繋ぎ目なしに中空容器を作る深絞り（Ｄｅｅｐ  Ｄｒａｗｉｎｇ）工程によって収納空間を製作することができる。
【０１１０】
前記二次電池１５０は、前記電極組立体１１０及び電解液を前記収納空間に具備させて、第１サブケース１４１及び第２サブケース１４２を互いに密着させた状態で、第１サブケース１４１の端１４８と第２サブケース１４２の端１４６とを熱溶着させてシーリング部１４７を形成することで製作することができる。この際、電極組立体１１０の電極タップ１１１は、シーリング部１４７を介して前記電池ケースの外へ延びる。
【０１１１】
図７を参照すれば、電池ケース１４０は順次に内部樹脂層１４３、金属層１４４、及び外部樹脂層１４５を含むことができる。内部樹脂層１４３は、電極組立体１１０と直接対面する部分で、外部樹脂層１４５は電池ケース１４０の最外面にあたる部分である。
【０１１２】
前記内部樹脂層１４３及び外部樹脂層１４５は、短絡などを防止するために電気的に不導体である高分子樹脂などで構成されることができる。金属層１４４は、内部樹脂層１４３と外部樹脂層１４５との間に具備されて電池ケース１４０に所定の機械的強度を提供することができ、例えば、アルミニウムなどを含むことができる。
【０１１３】
前記一対の電極タップ１１１には、絶縁のためのフィルム１１４がさらに具備され、前記一対の電極タップ１１１と前記電池ケース１４０との間を絶縁することができる。
【０１１４】
前記フィルム１１４は、シーリング部１４７に安着されるように具備することができ、電気的不導体からなり、前記一対の電極タップ１１１と金属層１４４との短絡を防止することができる。また、フィルム１１４は、シーリング部１４７と類似な物質からなり、シーリング部１４７が完全に熱溶着されるように補助することができる。
【０１１５】
したがって、前記フィルムによって金属からなる電極タップ１１１がシーリング部１４７と完璧に密着されて電池ケース１４０の密閉力が強化される。また、前記フィルム１１４は、電極タップ１１１の折り曲げに応じて一緒に折り曲げることもできる。
【０１１６】
図６及び図７を参照して前記二次電池として巻取型の電極組立体がパウチ型のケースに密封される場合について詳しく説明したが、本発明はこれに限定されず、積層型電極組立体がパウチ型のケースに密封されるか、積層型または巻取型の電極組立体が角形のケースに密封することもできるということは勿論である。
【０１１７】
図示されていないが、図１のバッテリーパックには、制御モジュール及び前記制御モジュールが安着されたテラス部１４７ａを全体的に覆うが、前記複数の電線３２０が露出するように具備された第３絶縁テープをさらに含むこともできる。また、図１のバッテリーパックには、電池ケース１４０の外面に付着させるラベルをさらに含むこともできる。
【０１１８】
以下では、図１ないし図１０を参照して本発明の一実施例による前記バッテリーパックの製造方法について説明する。
【０１１９】
図８を参照すれば、前記制御モジュールの一対のタップ連結端子２１２、２１３にそれぞれ陽極タップ１１２と陰極タップ１１３とが連結される。この際、前記陽極タップ１１２及び前記陰極タップ１１３は、溶接によって前記タップ連結端子に固定することができる。
【０１２０】
図８のように、前記制御モジュールに連結された一対の電極タップ１１２、１１３に第１絶縁テープ３７０が付着させる。図示されていないが、前記第１絶縁テープ３７０は、前記一対の電極タップ１１１はもちろん前記タップ固定面２１５及び前記フィルム１１４と、前記テラス部１４７ａの一部を覆うように付着させる。
【０１２１】
第１絶縁テープ３７０が前記一対の電極タップ１１１及びその周辺部に付着された制御モジュールは、図５に示された複数のガイドライン２２１、２２２、２２３に合わせて図９の１番の矢印方向にほとんど１８０°折られる。図９の１番矢印方向へ折られた回路基板２００は、折り曲げ部２２０を具備するようになる。
【０１２２】
図９の１番矢印方向へ折られた状態の制御モジュールには、第２絶縁テープ３６０を付着させる。図示されていないが、前記第２絶縁テープ３６０は、前記素子固定面２３７、前記素子固定面と同一の面の折り曲げ部２２０及び前記タップ固定面の反対面２１５を実質的にすべて覆うように付着させる。
【０１２３】
すなわち、前記第２絶縁テープは、図５に示された回路基板２００で素子固定面２３７、前記タップ固定面の反対面２１７、及びその間の折り曲げ部２２０を実質的にすべて覆うことができる。ただし、図８ないし図１０で第１及び第２絶縁テープ３７０、３６０の付着された様子は略した。
【０１２４】
このように、第１絶縁テープ３７０及び第２絶縁テープ３６０がすべて付着された制御モジュールは、図９の２番矢印方向へ一対の電極タップ１１１が折られながら図１０に示されたようにテラス部１４７ａに安着される。この際、前記タップ固定面の反対面２１７が前記テラス部１４７ａに向かうように安着されて図３に示されたバッテリーパックになる。
【０１２５】
図示されていないが、図１０のバッテリーパックは、前記制御モジュールと前記テラス部とをすべて覆うように第３絶縁テープがさらに付着させることができ、前記二次電池のケースにはラベルがさらに付着させることができる。
【０１２６】
以上、本発明の実施例について説明してきたが、本発明はこれに限定されずに種々の変更、改良を行うことができる。
【符号の説明】
【０１２７】
１００  バッテリーパック
１１１   電極タップ
１１２  陽極タップ
１１３   陰極タップ
１４０  電池ケース
１４７  シーリング部
１４７ａ  テラス部   
１５０  二次電池
２００  回路基板
２４０  絶縁板
３６０、３７０  絶縁テープ
【図１】
2016171063.tif 000003
【図２】
2016171063.tif 000004
【図３】
2016171063.tif 000005
【図４】
2016171063.tif 000006
【図５】
2016171063.tif 000007
【図６】
2016171063.tif 000008
【図７】
2016171063.tif 000009
【図８】
2016171063.tif 000010
【図９】
2016171063.tif 000011
【図１０】
2016171063.tif 000012